(57)【特許請求の範囲】
【請求項１】
コンピュータからイサーネット仕様の送信データを入力して、所定チャネルの信号に変調して、ブロードバンド伝送路に送信し、このブロードバンド伝送路の前記所定チャネルの信号を受信し、イーサネット仕様のデータに復調して、コンピュータにデータを送出することでコンピュータ間のデータ通信を可能としたＣＡＴＶ伝送システムにおいて、
前記イーサネット仕様のパケットデータにおけるＭＩＢ（管理情報ベース）等の状態データと、残りの本体データとに分離して、前記状態データを変調して本体データの送信よりも低ビットレートの第１のチャネルに送信し、前記本体データを変調して第２のチャネルに送信し、前記第２のチャネルから前記本体データを受信して復調し、前記第１のチャネルから前記状態データを受信して復調することで、コンピュータ間で通信を行うことを特徴とするＣＡＴＶ伝送システム。
【請求項２】
前記請求項１に記載のＣＡＴＶ伝送システムにおいて使用されるデータ変調装置において、
前記イーサネット仕様のパケットデータを、ＭＩＢ（管理情報ベース）等の状態データと、残りの本体データとに分離する分離装置と、
前記分離した状態データを変調して本体データの送信よりも低ビットレートの第１のチャネルに送信する第１変調装置と、
前記本体データを変調して第２のチャネルに送信する第２変調装置と
から成るデータ変調装置。
【請求項３】
前記請求項１に記載のＣＡＴＶ伝送システムにおいて使用されるデータ復調装置において、
前記分離した状態データを本体データの送信よりも低ビットレートの第１のチャネルから受信して復調する第１復調装置と、
前記本体データを前記第２のチャネルから受信して復調する第２復調装置と、前記第１復調装置の出力する状態データと前記第２復調装置の出力する本体データとを結合させて前記イーサネット仕様のパケットデータを生成する結合装置とから成るデータ復調装置。
【請求項４】
前記第１のチャネルの帯域は前記第２のチャネルの帯域よりも狭いことを特徴とする請求項１に記載のＣＡＴＶ伝送システム。
【発明の詳細な説明】
【０００１】
【発明の属する技術分野】
本発明は、ＣＡＴＶ伝送システム及びデータ変復調装置に関する。
【０００２】
【従来の技術】
従来、イーサネット(Ethernet)を用いたコンピュータ間のデータ通信は、ＬＡＮネットワークで盛んに利用されている。この通信に用いられるパケットデータは、スタートデータ、アドレスデータ、情報データ、ＭＩＢ（Management Information Base;管理情報ベース）等のデータで構成されている。その中で、ＭＩＢデータを用いたＳＮＭＰ(Simple Network Management Protocol)によるネットワーク管理は広く用いられている。
【０００３】
【発明が解決しようとする課題】
一方、このイーサネット仕様に基づくコンピュータ間通信をＣＡＴＶ伝送路等のブロードバンド伝送路を用いて行うことが提案されている。このシステムでは、コンピュータから出力されるパケットデータを高周波に変調し、その変調信号をブロードバンド伝送路に送出する伝送方式が考えられる。
しかしながら、伝送路に多数のコンピュータが接続され、各々の状態管理をＳＮＭＰを用いて行う場合、ＭＩＢデータの伝送量が多くなり、他のデータのスループットの低下が起こることが考えられる。
さらに、ＣＡＴＶ伝送路においては、樹枝路状に伝送路が構成されているために、上りチャネルにおける流号雑音によりスループットの低下、さらには通信停止等が生じる場合がある。
【０００４】
そこで、本発明は、上記の課題を解決するために成されたものであり、その目的は、ブロードバンド伝送路を用いたコンピュータ通信間のスループットの低下を抑制し、正確な状態データの通信を可能とすることである。
【０００５】
【課題を解決するための手段】
本発明は、コンピュータからイーサネット仕様の送信データを入力して、所定チャネルの信号に変調して、ブロードバンド伝送路に送信し、このブロードバンド伝送路の前記所定チャネルの信号を受信し、イーサネット仕様のデータに復調して、コンピュータにデータを送出することでコンピュータ間のデータ通信を可能としたＣＡＴＶ伝送システムにおいて、イーサネット仕様のパケットデータにおけるＭＩＢ（管理情報ベース）等の状態データと、残りの本体データとに分離して、状態データを変調して本体データの送信よりも低ビットレートの第１のチャネルに送信し、本体データを変調して第２のチャネルに送信し、第２のチャネルから本体データを受信して復調し、第１のチャネルから状態データを受信して復調することで、コンピュータ間で通信を行うことを特徴とする。
【０００６】
他の発明は、上記のＣＡＴＶ伝送システムにおいて使用されるデータ変調装置において、イーサネット仕様のパケットデータを、ＭＩＢ（管理情報ベース）等の状態データと、残りの本体データとに分離する分離装置と、分離した状態データを変調して本体データの送信よりも低ビットレートの第１のチャネルに送信する第１変調装置と、本体データを変調して第２のチャネルに送信する第２変調装置とから成るデータ変調装置である。
【０００７】
また、他の発明は、上記のＣＡＴＶ伝送システムにおいて使用されるデータ変調装置において、分離した状態データを本体データの送信よりも低ビットレートの第１のチャネルから受信して復調する第１復調装置と、本体データを第２のチャネルから受信して復調する第２復調装置と、第１復調装置の出力する状態データと第２復調装置の出力する本体データを結合してパケットデータを生成する結合装置とから成るデータ復調装置である。
また、他の発明は、請求項１に記載の発明において、第１のチャネルの帯域は前記第２のチャネルの帯域よりも狭いことを特徴とする。
【０００８】
【発明の作用及び効果】
送信側では、コンピュータから分離装置にイーサネット仕様のパケットデータが出力される。このパケットデータからＭＩＢ（管理情報ベース）等の状態データが分離され、パケットデータは状態データと残りの本体データとに分離される。そして、状態データは、変調されて本体データの送信よりも低ビットレートの第１のチャネルに送信され、本体データは変調されて第２のチャネルに送信される。一方、受信側では、第１のチャネルから状態データが受信されて復調され、第２のチャネルから本体データが受信されて復調される。上記の状態データの分離と、状態データの変調と本体データの変調は、変調装置により実行される。状態データの復調と本体データの復調は復調装置により行われ、それぞれ、本体データと状態データとが別々に処理されるか、そられのデータが結合されたパケットデータが生成される。また、第１のチャネルの帯域は前記第２のチャネルの帯域よりも狭いので、状態データを伝送するためのチャネル数を多くとることができ、雑音が混入した場合等に、チャネルの切り換えが容易に行え、流合雑音対策が容易となる。
【０００９】
【発明の実施の形態】
以下、本発明を具体的な実施例に基づいて説明する。
図１は、ＣＡＴＶシステムの全体の構成を示した図である。ヘッドエンドＣから同軸ケーブルで構成された伝送路Ｅが配設されている。その伝送路Ｅには、複数の双方向の中継増幅器（Ｒ１，Ｒ２，…等）が配設されている。この伝送路Ｅは、周波数分割多重伝送方式による伝送路である。伝送路Ｅ上のチャネル配置は、図２に示すように構成されている。上りチャネルは低群に、下りチャネルは高群に配置されている。上りチャネルはチャネルｃｈＬ１，ｃｈＬ２，…が配設されており、下りチャネルはチャネルｃｈＨ１，ｃｈＨ２，…が設けられている。図２では、上り、下りとも２つのチャネルのみが表示されている。上りチャネルｃｈＬ１と下りチャネルｃｈＨ１とが第１のチャネルであり、上りチャネルｃｈＬ２と下りチャネルｃｈＨ２とが第２のチャネルである。
【００１０】
端末装置として、コンピュータ１４、分離装置としてのＣＰＵ１５、第１変調装置１６、第２変調装置１７が配設されている。この２つの装置が変調装置を構成している。また、第１復調装置１８、第２復調装置１９と結合装置としてのＣＰＵ１５が配設されている。一方、センタ装置Ｃは、状態データを送信及び受信するコンピュータ１０と本体データを送信及び受信するコンピュータ１３と、第１変調装置と第１復調装置としてのセンタモデム１１と、第２変調装置と第２復調装置としてのセンタモデム１２とを有している。
【００１１】
次に、システムの作用について説明する。コンピュータ１４からイーサネット仕様によるパケットデータがＣＰＵ１５に出力される。ＣＰＵ１５では、図３に示すように、パケットデータＡの中からＭＩＢ、即ち、伝送路及び通信状態の管理用の状態データが分離される。そして、分離された状態データは第１変調装置１６によりＦＳＫ変調されて伝送路Ｅの第１チャネルに送出される。また、残りのパケットデータである本体データは第２変調装置１７によりＱＰＳＫ変調されて伝送路Ｅに送出される。
【００１２】
そして、センタ装置Ｃでは、上りの第１チャネルから状態データが受信されて、センタモデム１１により復調され、上りの第２チャネルから本体データが受信されてセンタモデム１２により復調される。状態データはコンピュータ１０より、解読され、本体データはコンピュータ１３により解読される。
【００１３】
センタ装置Ｃから端末装置への通信も同様に実行される。即ち、コンピュータ１３から本体データがセンタモデム１２に出力され、センタモデム１２で６４ＱＡＭ変調されて、伝送路Ｅの下り第２チャネルに出力され、コンピュータ１０から状態データがセンタモデム１１に出力され、センタモデム１１でＦＳＫ変調されて、伝送路Ｅの下りの第１チャネルに出力される。端末装置においては、下りの第２チャネルから本体データが第２復調器１９により６４ＱＡＭ復調され、下りの第１チャネルから状態データが第１復調器１８によりＦＳＫ復調され、両データは結合装置としてのＣＰＵ１５に入力する。そして、ＣＰＵ１５によりイーサネット仕様のパケットデータに構成されて、コンピュータ１４に出力される。
【００１４】
上記の実施例では、センタ装置Ｃでは、復調した本体データと状態データとは独立して、コンピュータ１３、１０で処理され、又は、コンピュータ１３、１０から別々にセンタモデム１２、１１に出力するようにしている。しかし、端末装置と同様に復調した本体データと状態データを１つのパケットとに結合して、コンピュータに出力するようにしても、コンピュータから本体データと状態データとが結合したパケットを入力して、それぞれのデータに分割した後、センタモデム１２、１１に出力するようにしても良い。
【００１５】
上記の通信において、状態データと本体データとを別々のチャネルで伝送しているので、本体データの第２チャネルにおける流合雑音の影響を排除できるので、システムの状態監視が正確に行われる。また、状態データは本体データに比べてビット数が少ないために、状態データの伝送は低ビットレートとすることができるので、状態監視が正確となる。また、第２チャネルは本体データのみを伝送するので、パケットのビット長が短くなり、伝送路におけるパケットの占有率を向上させることができるので、コンピュータ通信のスループットを向上させることができる。
【００１６】
また、状態データの伝送用のキャリアを用いて、端末装置の変調装置、復調装置のオンオフ等の制御が可能となる。また、状態データは低速で送信できることから、第１チャネルの伝送帯域幅は狭くて良いために、状態データを伝送するためのチャネル数を多くとることができ、雑音が混入した場合等に、チャネルの切り換えが容易に行え、流合雑音対策が容易となる。
また、状態データのビット数は少ないので、第１チャネルのパケットの専有率が小さいために、第２チャネルにおける本体データのスループットが低下した時に、一部の本体データの伝送を第１チャネルで行うことができる。この結果、コンピュータ通信間のスループットの低下を防止することができる。
【００１７】
また、第１チャネルのキャリアを中継増幅器Ｒ１、Ｒ２等の状態モニタ用と共用することができる。即ち、センタ装置Ｃらかポーリングにより中継増幅器を選択して、中継増幅器の状態データを第１チャネルを介して受信することができる。これにより、中継増幅器の状態監視とデータの通信状態との監視とを一元化することができる。
【図面の簡単な説明】
【図１】本発明の具体的な一実施例に係る伝送システムの全体を示した構成図。
【図２】伝送路上のチャネル配置を示した説明図。
【図３】パケットデータの分離を説明した説明図。
【符号の説明】
Ｃ…センタ装置
Ｒ１，Ｒ２…中継増幅器
１６…第１変調装置
１７…第２変調装置
１０、１３、１４…コンピュータ
１２…センタモデム
１１…センタモデム
１５…ＣＰＵ（分離装置、結合装置）
【図１】
0003670828.tif 000002
【図２】
0003670828.tif 000003
【図３】
0003670828.tif 000004